(57)【要約】【課題】電界紡糸法により製造した管状の多孔質管材において、製造後に発生し得る収縮を可及的に抑制して高品質を維持できるようにし、折れ癖や潰れ変形の防止により流通コストの削減を達成し、カットロスの問題も解消できるようにする。【解決手段】ナノファイバーの集積層により管壁２が形成されて成る管形体の多孔質管材であって、管壁２で取り囲まれて成る管内の中空部には電界紡糸法によってナノファイバーを集積して管壁２に形成させる際のコレクターとなる導電芯材３が串刺し状に挿入されており、導電芯材３は中空部を満たして管壁２を内側から全周的にバックアップする状態で流通時の保形材とされている。【選択図】図１
2014163003.tif 000002
【特許請求の範囲】
【請求項１】
ナノファイバーの集積層により管壁が形成されて成る管形体の多孔質管材であって、
前記管壁で取り囲まれて成る管内の中空部には電界紡糸法によってナノファイバーを集積して前記管壁に形成させる際のコレクターとなる導電芯材が串刺し状に挿入されており、
前記導電芯材は前記中空部を満たして前記管壁を内側から全体的にバックアップする状態で流通時の保形材とされていることを特徴とする芯材入り多孔質管材。
【請求項２】
前記管壁の内周面と前記導電芯材の外周面との周間に当該導電芯材の軸方向移動を促す剥離層が設けられていることを特徴とする請求項１記載の芯材入り多孔質管材。
【請求項３】
前記導電芯材は可撓性の金属線材により形成されていることを特徴とする請求項１又は請求項２記載の芯材入り多孔質管材。
【発明の詳細な説明】
【技術分野】
【０００１】
本発明は、電界紡糸法により製造した芯材入り多孔質管材に関する。
【背景技術】
【０００２】
電界紡糸法は、ポリマー溶液の噴射孔（シリンジニードルやノズルなど）とコレクターとの間で電位差のある高電圧を印加することで、噴射孔からコレクターへ向けたポリマー溶液の噴射状態（コレクター側に吸引する状態）をつくり、噴射過程で溶液成分が瞬間蒸発すると共にポリマーが極細繊維状に造形されつつ更に伸長してナノファイバー化することを利用して、コレクター側でナノファイバーの集積した多孔質成形体（ナノファイバーが絡み合って恰も不織布の如く連通気孔が形成された構造であって『不織布製成形体』と言い換えることも可能）を製造する方法を言う。製造された多孔質成形体は、高密度フィルターや再生医療用の足場材などとして好適に使用することができる。
【０００３】
この電界紡糸法では、コレクターとして、円柱状又は円筒状のもの、或いはロッド状のものを採用することで、多孔質成形体を円筒形乃至管状にすることが提案されている（例えば、特許文献１や２等参照）。このような形体にすることで、多孔質成形体を人造血管などとしても使用できることになる。
【先行技術文献】
【特許文献】
【０００４】
【特許文献１】特許第４９０４０８３号公報
【特許文献２】特公昭６２−６１７０３号公報
【発明の概要】
【発明が解決しようとする課題】
【０００５】
電界紡糸法で製造した多孔質成形体を再生医療の現場で使用するには、予め、滅菌処理（例えばオートクレーブ滅菌処理など）を施しておく必要がある。この滅菌処理を施すことで多孔質成形体は収縮する傾向となる。多孔質成形体を管形体とする場合では、製造直後に多孔質成形体をコレクターから取り出した時点で、一気に管径（内径及び外径）の縮小や管壁の肉厚減少、更には長さの短縮化が起こることになる。従って、場合によっては品質（外形精度）上の重大問題に繋がるおそれもあった。
【０００６】
一方で、多孔質成形体は可撓性や伸縮性がある程度許容される軟質状態にある。しかし、言い換えれば多孔質成形体は取り扱い方が悪ければ折れ癖や潰れ変形などが比較的簡単に発生してしまう可能性を有している。また、多孔質成形体は一旦、折れ癖や潰れ変形が生じると元の形状に回復させることができないために、使用不能になり廃棄せざるを得ない。これらのことから、多孔質成形体を管形体とする場合には変形を防止するために嵩高の厳重包装や梱包が必要とされ、流通コストが高騰する問題があった。
【０００７】
なお、多孔質成形体を管形体にして人造血管などとして使用する際において、必要となる長さは施術箇所に応じて様々であり、決して一定しているわけではない。ところが、一般に人造血管用として製造される多孔質成形体は長さ的に定寸（例えば１００〜３００ｍｍ）が設定されており、この定寸単位で滅菌包装された状態として、流通されるようになっている。そのため、カットロス（無駄な長さを切断して廃棄すること）が多く発生するという問題も指摘されている。
【０００８】
本発明は、上記事情に鑑みてなされたものであって、電界紡糸法により製造した管形体の多孔質成形体（以下、「多孔質管材」と言う）において、製造後に発生し得る収縮を可及的に抑制して高品質を維持できるようにし、折れ癖や潰れ変形の防止により流通コストの削減を達成し、カットロスの問題も解消できるようにした芯材入り多孔質管材を提供することを目的とする。
【課題を解決するための手段】
【０００９】
前記目的を達成するために、本発明は次の手段を講じた。
即ち、本発明に係る芯材入り多孔質管材は、ナノファイバーの集積層により管壁が形成されて成る管形体の多孔質管材であって、前記管壁で取り囲まれて成る管内の中空部には
電界紡糸法によってナノファイバーを集積して前記管壁に形成させる際のコレクターとなる導電芯材が串刺し状に挿入されており、前記導電芯材は前記中空部を満たして前記管壁を内側から全体的にバックアップする状態で流通時の保形材とされていることを特徴としている。
【００１０】
前記管壁の内周面と前記導電芯材の外周面との周間に当該導電芯材の軸方向移動を促す剥離層が設けられたものとするのが好適である。
前記導電芯材は可撓性の金属線材により形成するのが好適である。
【発明の効果】
【００１１】
本発明に係る芯材入り多孔質管材では、製造後に発生し得る収縮を可及的に抑制できて高品質を維持でき、また折れ癖や潰れ変形を防止できて流通コストの削減が可能となり、そのうえカットロスの問題も解消できるものである。
【図面の簡単な説明】
【００１２】
【図１】本発明に係る芯材入り多孔質管材を示した斜視図である。
【図２】本発明に係る芯材入り多孔質管材の製造装置を模式的に示した図である。
【図３】本発明に係る芯材入り多孔質管材の製造方法を説明した斜視図である。
【発明を実施するための形態】
【００１３】
以下、本発明の実施の形態を、図面に基づき説明する。
図１は、本発明に係る芯材入り多孔質管材１を示している。この多孔質管材１は、断面形状が円環状（リング状）で、この断面形状を管軸方向に連続させて成る管形体に形成されている。そして管壁２で取り囲まれて成る管内の中空部には、導電芯材３が串刺し状に挿入されている。また、管壁２の内周面と導電芯材３の外周面との周間には剥離層４が設けられている。
【００１４】
なお、この多孔質管材１はヒト用の人造血管に適用できるものとしてあり、この場合で例示すれば、管壁２で取り囲まれた中空部の内径（導電芯材３の外径に略同じ）は０．５ｍｍ〜数ｍｍ程度が好適とされる。但し、この寸法はヒト以外の動物の人造血管に適用する場合や、多孔質管材１をフィルター等の他用途で使用する場合であれば種々に変更されるものであり、本発明においては何ら限定されるものではない。また、管壁２の肉厚についても同様であり、本発明においては何ら限定されるものではない。
【００１５】
このような管壁２は、電界紡糸法によって形成されたものであって、ポリマー溶液から発生させたナノファイバーを集積させて成る集積層となっている。このようにナノファイバーの集積によって形成された管壁２は、ナノファイバーが絡み合って、恰も不織布の如く連通気孔が形成された構造となっている。
管壁２の形成素材とするポリマーやその溶媒には、一般に電界紡糸法において採用可能とされる種々のものをそのまま利用できる。
【００１６】
例えば、ポリマーとしては次に例示するものを使用可能である。すなわち、
［天然高分子］コラーゲン、ゼラチン、プロテオグリカン、デキストラン、キチン、キトサン、絹、ヒアルロン酸、アルブミン、エラスチン、核酸、ヘパリン及びヘパラン硫酸からなる群から選ばれる少なくとも１つ又はこれらの誘導体、等々。
［合成高分子］ポリ乳酸、ポリグリコール酸、ポリラクチド、ポリグルタミン酸、ポリ−ε−カプロラクトン、ポリ−ｐ−ジオキサン、ポリα−リンゴ酸及びポリ−β−ヒドロキシ酪酸、並びにポリ乳酸とポリカプロラクトンとの共重合体からなる群から選ばれる少なくとも１つ、或いは、ポリエチレン、ポリプロピレン、ポリアミド、ポリエステル、ポリエチレング リコール、ポリカーボネート、ポリフッ化ビニリデン、ポリウレタン、ポリスチレン、ポリアクリロニトリル、ポリテトラフルオロエチレン、ポリビニルアル コール、ポリエチレンテレフタラート、ナイロン、ポリＮイソプロピルアクリルアミド、ポリビニルクロライド、ポリメタクリル酸メチル、ポリジメチルシロキ サン、ポリアリルスルホン及びポリスルホンからなる群から選ばれる少なくとも１つ、等々である。
【００１７】
また溶媒としては、ＨＦＩＰ（１，１，１−３，３，３ヘキサフルオロイソプロパノール）、ＤＭＦ（N,Nジメチルフォルムアミド）、硫酸、塩酸、ギ酸、メタノール、エタノール、ＤＭＳＯ（ジメチルスルフォキシド）、ＴＨＦ（テトラヒドロフラン）、アセトン
、ＭＥＫ（メチルエチルケトン）、トルエン、シクロヘキサン、等々を使用することができる。
【００１８】
導電芯材３は、管壁２で取り囲まれた中空部を満たすことのできるものとされており、本実施形態では前記のように多孔質管材１の断面形状を円環状としていることから、導電芯材３の断面形状は円形としてある。このように、導電芯材３は剥離層４を介して管壁２をその内面側から全体的（周方向及び管軸方向）にバックアップできるものであり、これによって管壁２に対する保形効果が得られる。但し、剥離層４は場合によっては省略することも可能であり、省略する場合であれば、導電芯材３が管壁２の内周面に面接触して直接的にバックアップできるものとなる。
【００１９】
なお、多孔質管材１の断面形状はそもそも円環状に限定されるものではなく、楕円乃至長円の環状にしてもよいし、角形の中空形状にしてもよい。従って当然に、導電芯材３の断面形状も、多孔質管材１の断面形状に対応した形状とすればよいものである。
このような導電芯材３は、電界紡糸法を行って管壁２を形成する際にコレクター（電極）として使用可能とされるものであり、例えば金属線材を使用可能である。金属線材としては、可撓性を有したものを採用するのが好適とされる。具体的には、ステンレス、銅、アルミ、金などの針金を使用すればよい。なかでも、純度の高い金、銀、白金等を選択することで、多孔質管材１を人造血管に使用する際に万が一、金属イオンが中空部の内面側に残留していたとしても、この金属イオンを原因とする金属アレルギーの発症は防止できる効果が期待できる。
【００２０】
導電芯材３において、導電性を持たせるに際しては、金属線材を用いることが限定されるわけではない。例えば、樹脂製線材や弾性を有したシリコン又はゴムなどの非導通材に対してその外周面に金属箔を貼り付けたり、金属成分を含んだ塗布物を塗布（析出、蒸着、メッキ等を含む）したりすることで金属被膜を形成させ、もって導電芯材３を形成させることができる。
【００２１】
また糸（マルチフィラメントでもモノフィラメントでもよい）をはじめ、織布や不織布などで糸状、帯状、撚り紐状に形成したものを用い、これに金属成分を含んだ含浸物を含浸させることにより、導電芯材３を形成させることもできる。
更には、導電芯材３を賦形させるためのメイン素材（例えばフッ素樹脂など）に対し、導電性を有する充填材（フィラー：例えばグラファイトなど）を練り込み、導電芯材３を成形させるような方法を採用することもできる。
【００２２】
導電芯材３は、コレクターとして使用された後（すなわち、管壁２の形成後であって更に言えば多孔質管材１の製造後）も多孔質管材１の中空部に挿入されたまま残置される。そのため、この状態で多孔質管材１として流通される際（在庫状態を含む）には、前記したように導電芯材３が管壁２の保形材として作用することになる。このように導電芯材３は保形材としての作用を期待するものであり、その意味で、管壁２をバックアップできるだけの強度は必要である。
【００２３】
剥離層４は、導電芯材３の軸方向移動を促すためのものである。すなわち、多孔質管材１の使用に際し、中空部から導電芯材３を取り除く（引き抜く）のを容易にさせるためのものである。
この剥離層４は、一例としてフッ素樹脂等により形成することができる。具体例には、ポリテトラフルオロエチレンや、テトラフルオロエチレン・パーフルオロアルキルビニルエーテル共重合体などとすることができる。フッ素樹脂は、非粘着性を有しているものが多く、この特性により、菌の付着混入がしにくい点で好ましい。ただ、これらはあくまでも一例であり、フッ素樹脂以外（例えば、シリコン樹脂等）とすることをも含めて、何ら限定されるものではない。例えば、フッ素樹脂に対して抗菌性物質を分散させておくことにより、剥離層４に対して積極的に制菌性を持たせるようにしてもよい。
【００２４】
導電芯材３に対して剥離層４を設ける方法としては、種々の方法を採用可能である。例えば、導電芯材３を通過搬送するダイへ向けて溶融させたフッ素樹脂を供給し、導電芯材３の外周面へフッ素樹脂膜を付着させる溶融押出法や、溶融させたフッ素樹脂を導電芯材３へ噴射して付着させるスプレー掛け法などを採用することができる。また、溶融状態の
フッ素樹脂を貯留させたプール中へ導電芯材３を通過させることによるドブ漬け法なども採用可能である。
【００２５】
なお、これらの各種方法では、溶融性の樹脂に代えて溶解性の樹脂（溶液）を用いることも可能である。溶解性の樹脂を用いる場合は、溶媒の除去を促進させて迅速、確実な硬化を起こさせるために、必要に応じて、乾燥工程や硬化剤付与工程などを付随させるようにすればよい。
また、導電芯材３として被覆電線のような線材（当初から樹脂材等による絶縁被膜を備えた線材）を採用する場合に、この被膜部分を剥離層４として作用させることも可能である。
【００２６】
次に、本発明に係る多孔質管材１を製造する方法（電界紡糸法による管壁２の形成方法）について説明する。
電界紡糸法では、図２に示すように、導電芯材３を直線状態に保持させつつ供給する芯材送り装置１０と、直線保持された導電芯材３へ向けてポリマー溶液を噴射する噴射孔を備えたノズル(又はシリンジニードル）１１と、導電芯材３がコレクターになるように導電芯材３とノズル１１との間で電位差のある高電圧を印加する帯電装置１２とを用いる。なお、ノズル１１には、必要に応じ、噴射孔へ向けてポリマー溶液を加圧供給するポンプ装置１３を接続しておくのが好適である。
【００２７】
芯材送り装置１０は、巻出リール１５から導電芯材３を巻き出しながら巻取リール１６で導電芯材３を巻き取るようにしてあり、途中、直線状態で移動する導電芯材３を電界紡糸法に呈するようになっている。巻出リール１５及び巻取リール１６の回転は駆動制御部１７によって制御する。この駆動制御部１７では、巻出リール１５と巻取リール１６との速度差が、原則的に［巻出リール１５］≦［巻取リール１６］となるように制御して、導電芯材３に適度なテンションを持たせるようにする。
【００２８】
なお、図２では、帯電装置１２がノズル１１側を正極とし導電芯材３側を負極として印加するように例示してあるが、これらの極性を逆にしてもよいし、正極側、又は負極側のいずれかをアースとしてもよい。また、導電芯材３に対しては、通電シューの摺接などによる直接的な通電構造を採用してもよいし、巻出リール１５（又は巻取リール１６）を金属製としてこれらのリール胴からの間接的な通電構造などを採用してもよい。
【００２９】
巻出リール１５から巻き出された導電芯材３に対しては、電界紡糸法を行う位置よりも一次側（図２ではノズル１１より左側）で溶融押出装置１８などを設置して、導電芯材３に対する剥離層４の形成を行う。言うまでもなく、導電芯材３として、当初より剥離層４を備えたもの（被覆電線など）を使用する場合には、この剥離層４の形成工程は省略できる。
【００３０】
このような装置構成のもと、まず芯材送り装置１０によって巻出リール１５から巻取リール１６へ向けて導電芯材３を直線送りしつつ、帯電装置１２で導電芯材３とノズル１１との間に電位差のある高電圧を印加する。必要に応じて、ポンプ装置１３を作動させてノズル１１の噴射孔へ供給するポリマー溶液を加圧させる。また導電芯材３が剥離層４を備えたものでない場合には、溶融押出装置１８などの作動により、予め導電芯材３に剥離層４を形成させるようにする。
【００３１】
ノズル１１から導電芯材３へ向けてポリマー溶液が噴射される（導電芯材３側に吸引される）過程では、溶液成分が瞬間蒸発すると共にポリマーが極細繊維状に造形されつつ更に伸長してナノファイバー化し、このナノファイバーが絡み合いながら導電芯材３の外周面に集積されることになる。かくして、ナノファイバーの集積層の中に連通気孔が形成される状態となって、管壁２が形成される（すなわち、本発明に係る多孔質管材１が製造される）。
【００３２】
このような多孔質管材１の製造方法では、芯材送り装置１０を用いて導電芯材３の巻き出し及び巻き取りを行いながら、同時に電界紡糸法を実施するようにしているので、連続操業が可能となり、製造コストの大幅な抑制が可能である。従って例えば、巻出リール１５として、１００ｍを超えるような長大な導電芯材３が巻回されたものを準備すれば、多孔質管材１としても同長さのものを製造することができ、極めて生産性に優れ、低コスト
化が可能となるものである。
【００３３】
巻取リール１６に巻き取られた多孔質管材１は、巻取リール１６への巻回状態のまま、或いはこの巻回状態から巻取リール１６を取り外したロール状態として、包装又は梱包する。この際、多孔質管材１にオートクレーブ滅菌処理や紫外線照射滅菌処理などの滅菌処理を施し、その後に、対細胞毒性が低い滅菌包装材を用いて包装又は梱包するのが好適である。
【００３４】
包装又は梱包を終えた多孔質管材１は、その状態のまま流通（在庫状態を含む）させるのがよい。そして、使用現場（例えば、再生医療の施術現場など）において、必要長さをその都度、滅菌包装又は滅菌梱包から繰り出しつつ切り出し、切り出したものから導電芯材３を取り出して使用する。導電芯材３の取り出しは剥離層４によって容易化されており、何ら手間を要するものではない。
【００３５】
なお、多孔質管材１は、巻取リール１６への巻回状態や巻取リール１６から取り外したロール状態として流通させる場合の他、巻取リール１６への巻き取りを行わずに、電界紡糸後にそのまま定寸（例えば１００〜３００ｍｍ）で切断しつつ、定寸単位で滅菌包装（袋詰めやラミネートなど）を同時に行うようにして、この滅菌包装の状態で流通させるようにしてもよい。
【００３６】
なお、芯材送り装置１０（駆動制御部１７）における導電芯材３の送り速度、ノズル１１の孔径や噴射距離、ポンプ装置１３の供給圧、帯電装置１２の電圧などは、導電芯材３の太さや導電率、要求される多孔質管材１としての管壁２の肉厚などに応じて適宜変更可能である。
例えば、図３に示すように、ノズル１１は、導電芯材３を中心としてその周りにリング状配置で複数個を設けるようにしてもよい。図３では、ノズル１１を４個用い、互いに周方向に等間隔となるように配置してある。また、導電芯材３を挟んで対峙する２個のノズル１１が互いに対向関係となるように配置してある。このようなノズル１１の配置にすることで、導電芯材３の外周面に対して複数の方向からナノファイバーの吹きつけを行うことができるので、集積層（管壁２）の肉厚を必要量確保する（分厚くする意味を含む）観点、及び生産能率を高める観点から好適であると言うことができる。
【００３７】
図３ではノズル１１の個数を４個としているが、個数面での限定はなく、例えば導電芯材３を挟んだ対向配置でノズル１１を２個だけとしたり、６個、８個、１２個などと、ノズル１１の個数を増やすことも可能である。
ノズル１１の配置として、前記のように導電芯材３を挟んだ対向配置とする場合、ナノファイバーが導電芯材３に集中しやすくなる作用を得ることができる。それ故、集積層として連続気孔の発生状態が均質で、肉厚的にも均一となる良質な管壁２が得られる効果がある。ただ、導電芯材３を挟んだ対向配置とすることも特段、限定されるものではなく、ノズル１１を奇数個（例えば３個とか５個）用いるものとして、対向させない配置にすることも可能である。
【００３８】
また、導電芯材３を中心としてその周りにノズル１１をリング状配置で設けることに関して、リング状配置の配置数を、導電芯材３の長さ方向で複数に増やしてもよい。この場合、隣り合うリング状配置体として、それぞれのノズル１１の配置角をずらすようにするとよい。
例えば、一つのリング状配置体で４個のノズル１１を設ける場合で説明すると、某リング状配置体において水平垂直（０°、９０°、１８０°、２７０°）にノズル１１を配置させ、この隣のリング状配置体では、ノズル１１の配置角を４５°づつずらして（４５°、１３５°、２２５°、３１５°）ノズル１１を配置させる、といった具合である。
【００３９】
当然に、リング状配置体の増加数についても限定されず、３連、４連にすることが可能である。このような場合も、ノズル１１の配置角を隣合うリング状配置体との間で３０°ずらしや、２２．５°ずらし、といった具合に変化させるようにすればよい。
更には、リング状配置体に含まれる複数個のノズル１１を、導電芯材３を中心にしてその周りで回転させる（図３中の矢符Ａ参照）ようにしてもよい。リング状配置体を複数設ける場合は、隣り合うリング状配置体を互いに逆回転させるようにしてもよいし、一体回
転させるようにしてもよい。
【００４０】
場合によっては、リング状配置体は回転させず、導電芯材３を回転させるようにしてもよい。すなわち、導電芯材３の回転は、芯材送り装置１０を全体として回転させる（巻出リール１５をＢ回転させると共に巻取リール１６も同速でＣ回転させる）ことにより行う。
以上、詳説したところから明らかなように、本発明に係る芯材入り多孔質管材１では、製造後から流通段階を経て使用に至るまで、多孔質管材１の中空部には導電芯材３による保形材が挿入された状態にある。そのため、流通時などにおいて多孔質管材１に無理な外力が加わっても、多孔質管材１に対して折れ癖や潰れ変形などが生じるのを防止することが可能となっている。従って、多孔質管材１を流通のために（変形防止のために）嵩高の厳重包装や梱包などする必要がなくなり、流通コストを削減することができる。また当然に、多孔質管材１として、折れ癖や潰れ変形等を原因とする廃棄を防止できることになるので、コスト削減に繋がる。
【００４１】
また、多孔質管材１を人造血管などとして使用する際において、施術箇所に応じた必要長さをその都度切り出して使用できるので、カットロス（無駄な長さを切断して廃棄すること）を略解消できる利点がある。
加えて、滅菌処理が原因となり多孔質管材１の管壁２に発生する収縮に対しても、形状安定化（いわゆるエイジング）が得られるまで、導電芯材３が流通時を利用した保形材として作用することになる。すなわち、多孔質管材１の使用現場にて導電芯材３を取り除いても収縮変形は殆ど生じないことになり、外形状的に高品質の多孔質管材１が得られるという利点に繋がる。
【００４２】
ところで、本発明は、前記の実施形態に限定されるものではなく、実施の形態に応じて適宜変更可能である。
例えば、多孔質管材１としての用途は何ら限定されない。また、多孔質管材１の形成素材、使用素材などにおいても限定されないものである。
また、本発明に係る多孔質管材１の製造方法において、電界紡糸法を行うに際しては図３で例示した各種方法（装置）の一部又は全部を組み合わせるようにすることも可能である。
【００４３】
多孔質管材１の長手方向断面形状において、太さを一定（ストレート形）とすることが限定されるものではない。例えば、太い部分と細い部分とが交互又はランダムに生じていたり、内周面（導電芯材３に接する側の面）に対して、長手方向に平行又は螺旋状となって細分された溝や筋、又は連続した溝や筋が生じているなどの異形タイプとすることもできる。このように、径方向に異形性を持たせることによっても、剥離層４を設けた場合であれば導電芯材３と多孔質管材１との間に滑り性を確保できることになる。そのため、使用時において多孔質管材１から導電芯材３を引く抜くうえで、何ら問題は生じない。
【符号の説明】
【００４４】
１  多孔質管材
２  管壁
３  導電芯材
４  剥離層
１０  芯材送り装置
１１  ノズル
１２  帯電装置
１３  ポンプ装置
１５  巻出リール
１６  巻取リール
１７  駆動制御部
１８  溶融押出装置
【図１】
2014163003.tif 000003
【図２】
2014163003.tif 000004
【図３】
2014163003.tif 000005